(57)【要約】【課題】  一度の取付作業でマンホール継手と内副管とを取り付けることができる内副管接続用可撓マンホール継手を提供する。【解決手段】  マンホールの上部に流入する下水をマンホールの下部に導く内副管を設けるためのマンホール継手であって、マンホール１２の上部に設けられた配管接続口１３に水平方向に挿入され、マンホール外の突出端に上流側下水管１７との接続部１８を有する継手管部１４と、該継手管部のマンホール内からマンホール底部側に向かって分岐した内副管接続管部１５と、前記配管接続口１３に対して前記継手管部１４を揺動可能な状態で固定する可撓性固定部材１６とを一体的に有している。【選択図】  図１
2006029018.tif 000002
【特許請求の範囲】
【請求項１】
マンホールの上部に流入する下水をマンホールの下部に導く内副管を設けるためのマンホール継手であって、マンホールの上部周壁に設けられた配管接続口に水平方向に挿入され、マンホール外の突出端に上流側下水管との接続部を有する継手管部と、該継手管部のマンホール内からマンホール底部側に向かって分岐した内副管接続管部と、前記配管接続口に対して前記継手管部を揺動可能な状態で固定する可撓性固定部材とを一体的に有していることを特徴とする内副管接続用可撓マンホール継手。
【請求項２】
マンホールの上部に流入する下水をマンホールの下部に導く内副管を設けるためのマンホール継手であって、マンホールの上部周壁に設けられた配管接続口に水平方向に挿入され、マンホール外の突出端に上流側下水管接続部を有するとともに、マンホール内の突出端に内副管接続用継手管接続部を有する継手管と、前記配管接続口に対して前記継手管を揺動可能な状態で固定する可撓性固定部材と、前記継手管の内副管接続用継手管接続部に接続される継手管接続部を有するとともに、マンホール底部側に向かう内副管接続管部を有する内副管接続用継手管とを有していることを特徴とする内副管接続用可撓マンホール継手。
【請求項３】
前記内副管接続管部に自在継手が装着されていることを特徴とする請求項１又は２記載の内副管接続用可撓マンホール継手。
【発明の詳細な説明】
【技術分野】
【０００１】
本発明は、内副管接続用可撓マンホール継手に関し、詳しくは、マンホール外部側の上流側下水管の接続部と、マンホール内部側の内副管の接続部とを一体に形成した内副管接続用可撓マンホール継手に関する。
【背景技術】
【０００２】
従来から、マンホールに流入する下水が上部から落下し、マンホール底面が浸食されて損傷することを防止するため、マンホールの内部に、上部からの下水をマンホールの底面に導く内副管を設けることが行われている、この内副管は、上流側下水管をマンホールに接続するためのマンホール継手とは別に形成されており、マンホール継手のマンホール内部側を覆うようにしてマンホールの内壁に取り付けるようにしている（例えば、特許文献１参照。）。
【特許文献１】特開２００４−５２２３５号公報
【発明の開示】
【発明が解決しようとする課題】
【０００３】
しかし、従来のものでは、マンホールに設けられた配管接続口へのマンホール継手の取り付けと、マンホール内壁への内副管の取り付けとを別個に行わなければならず、二度の取付作業が必要で手間がかかっていた。
【０００４】
そこで本発明は、一度の取付作業でマンホール継手と内副管とを取り付けることができる内副管接続用可撓マンホール継手を提供することを目的としている。
【課題を解決するための手段】
【０００５】
上記目的を達成するため、本発明の内副管接続用可撓マンホール継手は、第１の構成として、マンホールの上部に流入する下水をマンホールの下部に導く内副管を設けるためのマンホール継手であって、マンホールの上部周壁に設けられた配管接続口に水平方向に挿入され、マンホール外の突出端に上流側下水管との接続部を有する継手管部と、該継手管部のマンホール内からマンホール底部側に向かって分岐した内副管接続管部と、前記配管接続口に対して前記継手管部を揺動可能な状態で固定する可撓性固定部材とを有していることを特徴としている。
【０００６】
本発明の内副管接続用可撓マンホール継手の第２の構成は、マンホールの上部に流入する下水をマンホールの下部に導く内副管を設けるためのマンホール継手であって、マンホールの上部周壁に設けられた配管接続口に水平方向に挿入され、マンホール外の突出端に上流側下水管接続部を有するとともに、マンホール内の突出端に内副管接続用継手管接続部を有する継手管と、前記配管接続口に対して前記継手管を揺動可能な状態で固定する可撓性固定部材と、前記継手管の内副管接続用継手管接続部に接続される継手管接続部を有するとともに、マンホール底部側に向かう内副管接続管部を有する内副管接続用継手管とを有していることを特徴としている。
【０００７】
さらに、本発明の内副管接続用可撓マンホール継手は、上記両構成において、前記内副管接続管部に自在継手が装着されていることを特徴としている。
【発明の効果】
【０００８】
本発明の内副管接続用可撓マンホール継手の第１の構成によれば、継手管部を配管接続口に挿入して可撓性固定部材部材により継手管部を配管接続口に固定することにより、マンホールへのマンホール継手部分と内副管部分との取り付けを完了することができ、取付作業を大幅に簡略化できる。
【０００９】
また、内副管接続用可撓マンホール継手の第２の構成では、継手管を配管接続口に挿入して可撓性固定部材部材により継手管を配管接続口に固定する前に、継手管に内副管接続用継手管を接続しておくことにより、実質的に第１の構成と同じ作用効果が得られる。さらに、継手管を配管接続口に固定してから内副管接続用継手管を継手管に接続するようにしても、マンホール内部側への内副管の取り付けを容易に行うことができる。
【発明を実施するための最良の形態】
【００１０】
図１は本発明の内副管接続用可撓マンホール継手をマンホールに取り付けた第１形態例を示す一部断面正面図である。この内副管接続用可撓マンホール継手１１は、マンホール１２の上部周壁に設けられた配管接続口１３に水平方向に挿入される継手管部１４と、該継手管部１４のマンホール１２内からマンホール１２の底部側に向かって分岐した内副管接続管部１５と、前記配管接続口１３に対して継手管部１４を揺動可能な状態で固定する可撓性固定部材１６とで形成されている。
【００１１】
継手管部１４は、マンホール１２の外部突出端に、リブパイプからなる上流側下水管１７を挿入する接続部１８が設けられており、マンホール１２の内部側には、前記内副管接続管部１５の対向位置に内副管用掃除口１９が、上流側下水管１７の対向位置に下水管用掃除口２０がそれぞれ設けられており、下水管用掃除口２０には、蓋２１が取り付けられている。また、内副管用掃除口１９にも蓋を取り付けておくことができる。
【００１２】
前記内副管接続管部１５には、自在継手２２が装着されている。この自在継手２２は、球状外面を有する接続筒２３と、該接続筒２３の球状外面に対応した球状内面を有する受口部材２４とを組み合わせたものであって、接続筒２３内に内副管接続管部１５の先端が挿入され、受口部材２４の下方に、内副管を構成する直管２５及びエルボ２６が接続されている。また、直管２５の下部は、マンホール１２の内壁に設けられた固定金具２７によって支持されている。
【００１３】
前記可撓性固定部材１６は、継手管部１４の外周面にバンド２８によって締め付け固定される内筒部２９と、該内筒部２９のマンホール内部側端部からマンホール外側方向に折り返された外筒部３０とを有する断面略Ｕ字状のゴム製部品であって、外筒部３０の内周には拡径バンド３１が設けられている。
【００１４】
マンホール１２の配管接続口１３に内副管接続用可撓マンホール継手１１を取り付けるには、まず、可撓性固定部材１６の内筒部２９内に継手管部１４を挿入してバンド２８により装着固定する。また、内副管接続管部１５に自在継手２２を介して直管２５及びエルボ２６を接続する。次に、可撓性固定部材１６を装着した継手管部１４を配管接続口１３に挿入した後、拡径バンド３１を拡径させて外筒部３０の外周面を配管接続口１３の内周面に圧接する。
【００１５】
これにより、内副管接続用可撓マンホール継手１１は、その継手管部１４が可撓性固定部材１６のゴムの弾力によって配管接続口１３に揺動可能な状態で固定された状態となる。そして、固定金具２７で直管２５の下部を支持固定し、継手管部１４に上流側下水管１７の端部を挿入することにより、マンホール１２への内副管の施工が完了する。なお、直管２５及びエルボ２６の接続は、継手管部１４を配管接続口１３に取り付けた後に行うこともできる。
【００１６】
このように、可撓性固定部材１６を装着した継手管部１４を配管接続口１３に挿入して拡径バンド３１を拡径させるだけで内副管接続用可撓マンホール継手１１をマンホール１２の配管接続口１３に取り付けることができ、従来に比べて作業量を大幅に削減することができる。
【００１７】
マンホール１２の上部に接続した上流側下水管１７からマンホール１２の内部に流入する下水は、内副管接続用可撓マンホール継手１１の継手管部１４を通り、内副管接続管部１５、自在継手２２から直管２５、エルボ２６を通ってマンホール１２の底部に導かれ、マンホール１２の底部側壁に取り付けられた継手３２から下流側下水管３３に流出する。
【００１８】
図２は本発明の内副管接続用可撓マンホール継手の第２形態例を示す一部断面正面図である。なお、以下の説明において、前記第１形態例で示した内副管接続用可撓マンホール継手における構成要素と同一の構成要素には、それぞれ同一符号を付して詳細な説明は省略する。
【００１９】
本形態例は、マンホール１２の配管接続口１３に内副管接続用可撓マンホール継手１１の継手管部１４を揺動可能な状態で固定するため、継手管部１４の突出端に被着されてバンド４１により締め付け固定される筒部４２と、該筒部４２の中間部外周に設けられてマンホール１２の外周面に沿う形状の鍔部４３と、直管からなる上流側下水管（図示せず）の端部を挿入してバンド４４により締め付け固定する接続筒４５とからなるゴム製の可撓性固定部材４６を用いている。
【００２０】
この可撓性固定部材４６は、鍔部４３をマンホール１２の外周面に接着することにより、内副管接続用可撓マンホール継手１１の継手管部１４を揺動可能な状態で配管接続口１３に固定することができ、ゴムの弾力によって継手管部１４の角度調節を行えるようにしている。
【００２１】
各形態例に示したように、マンホール１２に設けられた配管接続口１３へのマンホール継手の取り付けとマンホール内部側への内副管の取り付けとを同時に行うことができるので、作業性の大幅な向上が図れる。さらに、継手管部１４を揺動可能な状態で配管接続口１３に固定するので、上流側下水管１７の接続角度に対応させて継手管部１４を傾斜させることができ、内副管接続管部１５に自在継手２２を装着することにより、継手管部１４を傾斜させても直管２５を鉛直方向に向けて設置することができる。
【００２２】
なお、内副管用掃除口１９や下水管用掃除口２０は省略することも可能であり、いずれか一方のみを設けるようにしてもよい。また、内副管接続用可撓マンホール継手１１は、成形条件に応じて複数に分割形成し、接着や嵌合等の手段によって一体化させるようにしてもよい。さらに、自在継手２２も省略可能であり、他の構造の自在継手を用いることもできる。
【００２３】
図３及び図４は、本発明の内副管接続用可撓マンホール継手の第２形態例を示すもので、図３は内副管取付前の状態を示す一部断面正面図、図４は内副管取付後の状態を示す一部断面正面図である。
【００２４】
本形態例に示す内副管接続用可撓マンホール継手５１は、マンホール１２の上部周壁に設けられた配管接続口１３に水平方向に挿入される継手管５２と、該継手管５２を前記配管接続口１３に揺動可能な状態で固定する可撓性固定部材５３と、前記継手管５２のマンホール内部側に接続される内副管接続用継手管５４とで形成されている。
【００２５】
継手管５２は、マンホール１２の外部突出端に、上流側下水管１７を挿入する接続部５５が設けられており、マンホール１２の内部突出端には、前記内副管接続用継手管５４を接続するための接続部５６が設けられている。
【００２６】
前記可撓性固定部材５３は、継手管５２の外周面にバンド５７によって締め付け固定される筒部５８と、該筒部５８の外周からマンホール１２の外周面に沿う方向に延出した鍔部５９と、上流側下水管１７をバンド６０により締め付け固定する接続筒６１とを有している。この可撓性固定部材５３は、筒部５８内に継手管５２を挿入してバンド５７で固定した状態で、鍔部５９をマンホール１２の外周面に接着することにより、継手管５２を揺動可能な状態で配管接続口１３に固定することができ、ゴムの弾力によって継手管５２の角度調節を行えるようにしている。
【００２７】
前記内副管接続用継手管５４は、継手管５２の前記接続部５６に接続される継手管接続部（受口）６２と、マンホール底部側に向かう内副管接続管部６３とを有している。さらに、前記継手管接続部６２に対向する位置に下水管用掃除口６４が、内副管接続管部６３に対向する位置に内副管用掃除口６５がそれぞれ設けられており、下水管用掃除口６４には蓋６６が取り付けられている。前記内副管接続管部６３には、前記同様に、自在継手２２を介して内副管を構成する直管及びエルボが接続される。
【００２８】
このように形成された内副管接続用可撓マンホール継手５１は、次の手順でマンホール１２に取り付けることができる。まず、可撓性固定部材５３の筒部５８内に継手管５２を挿入してバンド５７で固定し、継手管５２を配管接続口１３内に挿入して鍔部５９をマンホール１２の外周面に接着する。次に、接続筒６１を通して上流側下水管１７を接続部５５内に挿入し、バンド６０により締め付け固定するとともに、可撓性固定部材５３の弾性変形を利用して継手管５２の設置角度を上流側下水管１７の勾配に合わせる。
【００２９】
そして、継手管５２の接続部５６に内副管接続用継手管５４の継手管接続部６２を接続するとともに、内副管接続管部６３に自在継手２２を介して直管及びエルボを接続する。このとき、継手管５２と内副管接続用継手管５４とにそれぞれ接続部５６，６２を設けておくことにより、従来のようにマンホール内壁に内副管を取り付ける場合に比べて内副管の施工を極めて容易に行うことができる。
【００３０】
また、継手管５２と上流側下水管１７とを先に接続してから継手管５２を配管接続口１３内に挿入し、角度調整を行いながら鍔部５９をマンホール１２の外周面に接着するようにしてもよい。さらに、継手管５２と内副管接続用継手管５４とを先に接続することにより、前記両形態例と同様に一体化した状態で、内副管接続用可撓マンホール継手５１をマンホール１２に取り付けることもできる。
【図面の簡単な説明】
【００３１】
【図１】本発明の内副管接続用可撓マンホール継手をマンホールに取り付けた第１形態例を示す一部断面正面図である。
【図２】本発明の内副管接続用可撓マンホール継手の第２形態例を示す一部断面正面図である。
【図３】本発明の内副管接続用可撓マンホール継手の第３形態例を示すもので、内副管取付前の状態を示す一部断面正面図である。
【図４】同じく内副管取付後の状態を示す一部断面正面図である。
【符号の説明】
【００３２】
１１…内副管接続用可撓マンホール継手、１２…マンホール、１３…配管接続口、１４…継手管部、１５…内副管接続管部、１６…可撓性固定部材、１７…上流側下水管、１８…接続部、１９…内副管用掃除口、２０…下水管用掃除口、２１…蓋、２２…自在継手、２３…接続筒、２４…受口部材、２５…直管、２６…エルボ、２７…固定金具、２８…バンド、２９…内筒部、３０…外筒部、３１…拡径バンド、３２…継手、３３…下流側下水管、４１…バンド、４２…筒部、４３…鍔部、４４…バンド、４５…接続筒、４６…可撓性固定部材、５１…内副管接続用可撓マンホール継手、５２…継手管、５３…可撓性固定部材、５４…内副管接続用継手管、５５，５６…接続部、５７…バンド、５８…筒部、５９…鍔部、６０…バンド、６１…接続筒、６２…継手管接続部、６３…内副管接続管部、６４…下水管用掃除口、６５…内副管用掃除口、６６…蓋
【図１】
2006029018.tif 000003
【図２】
2006029018.tif 000004
【図３】
2006029018.tif 000005
【図４】
2006029018.tif 000006